(57)【要約】【課題】トナー収容部と廃トナー収容部とを一体化させると共に、廃トナー収容部本体に上蓋を固定する際の組み立て作業性を向上させることができるトナー収容部と廃トナー収容部との連結構造及びそれを備えた画像形成装置を提供する。【解決手段】連結構造は、トナーを収容するトナー収容部と、廃トナーを収容する廃トナー収容部とを連結する。廃トナー収容部は、廃トナー収容部本体の上部の開口を塞ぐ上蓋を有している。トナー収容部には、トナー収容部と廃トナー収容部とが連結された状態で廃トナー収容部における上蓋を覆う覆い部が設けられている。【選択図】図２
2019120856.tif 000002
【特許請求の範囲】
【請求項１】
トナーを収容するトナー収容部と、廃トナーを収容する廃トナー収容部とを連結する連結構造であって、
前記廃トナー収容部は、廃トナー収容部本体の上部の開口を塞ぐ上蓋を有し、
前記トナー収容部には、該トナー収容部と前記廃トナー収容部とが連結された状態で該廃トナー収容部における前記上蓋を覆う覆い部が設けられていることを特徴とする連結構造。
【請求項２】
請求項１に記載のトナー収容部と廃トナー収容部との連結構造であって、
前記トナー収容部及び前記廃トナー収容部は、水平方向に沿って連結されていることを特徴とする連結構造。
【請求項３】
請求項１又は請求項２に記載のトナー収容部と廃トナー収容部との連結構造であって、
前記トナー収容部の上端部の外周縁部には、水平方向における外側に延設された第１延設部を有し、前記第１延設部の一部が前記覆い部を構成していることを特徴とする連結構造。
【請求項４】
請求項１から請求項３までの何れか１つに記載のトナー収容部と廃トナー収容部との連結構造であって、
前記トナー収容部の前記廃トナー収容部側端部の外周縁部には、前記廃トナー収容部側に延設された第２延設部を有し、前記第２延設部の一部が前記覆い部を構成していることを特徴とする連結構造。
【請求項５】
請求項１から請求項４までの何れか１つに記載のトナー収容部と廃トナー収容部との連結構造であって、
前記上蓋は、前記廃トナー収容部本体と係合部により保持されていることを特徴とする連結構造。
【請求項６】
請求項１から請求項５までの何れか１つに記載のトナー収容部と廃トナー収容部との連結構造であって、
前記トナー収容部は、第１回転軸を有するトナー撹拌部材を備え、
前記廃トナー収容部は、第２回転軸を有する廃トナー撹拌部材を備え、
前記第１回転軸と前記第２回転軸とが同軸上に係合されることを特徴とする連結構造。
【請求項７】
請求項６に記載のトナー収容部と廃トナー収容部との連結構造であって、
前記第１回転軸及び前記第２回転軸には、互いに係合して該第１回転軸からの回転駆動を該第２回転軸に伝達するための第１回転係合部及び第２回転係合部がそれぞれ設けられ、
前記第１回転係合部の角部及び前記第２回転係合部の角部の少なくとも一方が前記第１回転軸及び前記第２回転軸の回転軸線方向に対して傾斜していることを特徴とする連結構造。
【請求項８】
請求項１から請求項７までの何れか１つに記載のトナー収容部と廃トナー収容部との連結構造であって、
前記トナー収容部には、前記トナーを充填するための充填口と、該充填口を塞ぐ充填蓋とが設けられ、
前記廃トナー収容部本体には、前記充填蓋の抜けを防止する抜け防止部を設けられていることを特徴とする連結構造。
【請求項９】
請求項１から請求項８までの何れか１つに記載のトナー収容部と廃トナー収容部との連結構造を備えていることを特徴とする画像形成装置。
【発明の詳細な説明】
【技術分野】
【０００１】
本発明は、トナー収容部と廃トナー収容部との連結構造及びそれを備えた複写機、複合機、プリンタ装置、ファクシミリ装置等の画像形成装置に関する。
【背景技術】
【０００２】
画像形成装置には、一般的に、トナーを供給するトナー収容部と、廃トナーを収容する廃トナー収容部とが設けられる（例えば特許文献１，２参照）。
【０００３】
このような画像形成装置においては、トナー収容部と廃トナー収容部とを別体のものとすると、装置が大型化する。このことから、トナー収容部と廃トナー収容部とを連結してこれらを一体化させることが要求されている。
【先行技術文献】
【特許文献】
【０００４】
【特許文献１】特開２００７−２１９４５４号公報
【特許文献２】特開２００５−１２１８４９号公報
【発明の概要】
【発明が解決しようとする課題】
【０００５】
ところで、廃トナー収容部では、廃トナー収容部本体の上部の開口を塞ぐ上蓋を有している場合、一般的に、廃トナー収容部本体に上蓋を固定する際には締結部材を用いる。そうすると、締結部材が別途必要となり、また、締結部材により廃トナー収容部本体に蓋を固定するための作業工程が必要となる。
【０００６】
すなわち、トナー収容部と廃トナー収容部とを一体化させると共に、廃トナー収容部本体に上蓋を固定する際の組み立て作業性を向上させることが求められている。
【０００７】
そこで、本発明は、トナー収容部と廃トナー収容部とを一体化させると共に、廃トナー収容部本体に上蓋を固定する際の組み立て作業性を向上させることができるトナー収容部と廃トナー収容部との連結構造及びそれを備えた画像形成装置を提供することを目的とする。
【課題を解決するための手段】
【０００８】
前記課題を解決するために、本発明に係る連結構造は、トナーを収容するトナー収容部と、廃トナーを収容する廃トナー収容部とを連結する連結構造であって、前記廃トナー収容部は、廃トナー収容部本体の上部の開口を塞ぐ上蓋を有し、前記トナー収容部には、該トナー収容部と前記廃トナー収容部とが連結された状態で該廃トナー収容部における前記上蓋を覆う覆い部が設けられていることを特徴とする。また、本発明に係る画像形成装置は、前記本発明に係るトナー収容部と廃トナー収容部との連結構造を備えていることを特徴とする。
【発明の効果】
【０００９】
本発明によると、トナー収容部と廃トナー収容部とを一体化させると共に、廃トナー収容部本体に上蓋を固定する際の組み立て作業性を向上させることができる。
【図面の簡単な説明】
【００１０】
【図１】本発明の実施の形態に係る画像形成装置を正面から視た概略断面図である。
【図２】トナー収容部及び廃トナー収容部を正面側の斜め上方から視た斜視図である。
【図３】トナー収容部及び廃トナー収容部を分離した状態を正面側の斜め上方から視た斜視図である。
【図４】図３に示すトナー収容部及び廃トナー収容部から上蓋を取り外した状態を正面側の斜め上方から視た斜視図である。
【図５】図４に示すトナー収容部及び廃トナー収容部を背面側の斜め上方から視た斜視図である。
【図６Ａ】トナー収容部の縦断面図である。
【図６Ｂ】廃トナー収容部の縦断面図である。
【図７Ａ】トナー収容部と廃トナー収容部とを連結させるための第１連結工程を示す斜視図である。
【図７Ｂ】トナー収容部と廃トナー収容部とを連結させるための第２連結工程を示す斜視図である。
【図７Ｃ】トナー収容部と廃トナー収容部とを連結させるための第３連結工程を示す斜視図である。
【図７Ｄ】トナー収容部と廃トナー収容部とを連結させるための第４連結工程を示す斜視図である。
【図８Ａ】トナー収容部の廃トナー収容部側端部を斜め上方から視た斜視図である。
【図８Ｂ】図８Ａに示す第１回転係合部部分を拡大した拡大斜視図である。
【図８Ｃ】第１回転係合部部分を示す正面図である。
【図９Ａ】廃トナー収容部のトナー収容部側端部を斜め上方から視た斜視図である。
【図９Ｂ】図９Ａに示す第２回転係合部部分を拡大した拡大斜視図である。
【図９Ｃ】第２回転係合部部分を示す正面図である。
【図１０Ａ】トナー収容部における充填口を塞ぐ充填蓋を示す斜視図である。
【図１０Ｂ】廃トナー収容部本体における抜け防止部を示す斜視図である。
【発明を実施するための形態】
【００１１】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１２】
［画像形成装置］
図１は、本発明の実施の形態に係る画像形成装置１００を正面から視た概略断面図である。画像形成装置１００は、モノクロ画像形成装置である。図において、符号Ｘは正面から視て左右方向、符号Ｘ１，Ｘ２はそれぞれ左側、右側を表している。符号Ｙは左右方向Ｘに直交する奥行方向、符号Ｙ１，Ｙ２はそれぞれ正面側、背面側を表している。符号Ｚは上下方向、鉛直方向を表している。画像形成装置１００は、画像読取装置１０６により読み取られた画像データ、又は、外部から伝達された画像データに応じて、画像形成処理を行う。なお、画像形成装置１００は、用紙Ｐに対して多色及び単色の画像を形成するカラー画像形成装置であってもよい。
【００１３】
画像形成装置１００は、原稿送り装置１０８と、画像形成装置本体１１０とを備えている。画像形成装置本体１１０には、画像形成部１０２と用紙搬送系１０３とが設けられている。
【００１４】
画像形成部１０２は、露光ユニット１、現像ユニット２、静電潜像担持体として作用する感光体ドラム３、クリーニング部４、帯電装置５及び定着ユニット７を備えている。これらの構成部材は、画像形成装置１００の本体フレーム１０１に支持されている。また、用紙搬送系１０３は、給紙トレイ８１、手差し給紙トレイ８２、排出ローラ３１及び排出トレイ１４を備えている。
【００１５】
画像形成装置本体１１０の上部には、原稿Ｇの画像を読み取るための画像読取装置１０６が設けられている。画像読取装置１０６は、原稿Ｇが載置される原稿載置台１０７を備えている。原稿載置台１０７は、透明の強化ガラスからなる四角形状ものとされている。また、原稿載置台１０７の上側には原稿送り装置１０８が設けられている。画像形成装置１００では、画像読取装置１０６で読み取られた原稿Ｇの画像は、画像データとして画像形成装置本体１１０に送られ、用紙Ｐ上に画像が記録される。
【００１６】
画像形成装置本体１１０には用紙搬送路Ｗ１が設けられている。給紙トレイ８１又は手差し給紙トレイ８２は、用紙Ｐを用紙搬送路Ｗ１に供給する。用紙搬送路Ｗ１は、用紙Ｐを転写ローラ１０及び定着ユニット７を経て排出トレイ１４に導く。定着ユニット７は、用紙Ｐ上に形成されたトナー像を用紙Ｐに加熱定着する。用紙搬送路Ｗ１の近傍には、ピックアップローラ１１ａ，１１ｂ、搬送ローラ１２ａ、レジストローラ１３、転写ローラ１０、定着ユニット７におけるヒートローラ７１及び加圧ローラ７２、排出ローラ３１が配設されている。
【００１７】
画像形成装置１００では、給紙トレイ８１又は手差し給紙トレイ８２にて供給された用紙Ｐはレジストローラ１３まで搬送される。次に、用紙Ｐはレジストローラ１３により用紙Ｐと感光体ドラム３上のトナー像とを整合するタイミングで転写ローラ１０に搬送される。感光体ドラム３上のトナー像は転写ローラ１０により用紙Ｐ上に転写される。その後、用紙Ｐは定着ユニット７におけるヒートローラ７１及び加圧ローラ７２に通過し、搬送ローラ１２ａ及び排出ローラ３１を経て排出トレイ１４上に排出される。用紙Ｐの表面だけでなく、裏面に画像形成を行う場合は、用紙Ｐは排出ローラ３１から反転用紙搬送路Ｗ２へ逆方向に搬送される。用紙Ｐは反転搬送ローラ１２ｂ〜１２ｂを経て用紙Ｐの表裏を反転してレジストローラ１３へ再度導かれる。そして、用紙Ｐは、表面と同様にして、裏面にトナー像が形成されて定着された後、排出トレイ１４へ向けて排出される。
【００１８】
［トナー収容部及び廃トナー収容部の構成］
図２は、トナー収容部２１０及び廃トナー収容部２２０を正面側の斜め上方から視た斜視図である。図３は、トナー収容部２１０及び廃トナー収容部２２０を分離した状態を正面側の斜め上方から視た斜視図である。図４は、図３に示すトナー収容部２１０及び廃トナー収容部２２０から上蓋２１２，２２２を取り外した状態を正面側の斜め上方から視た斜視図である。図５は、図４に示すトナー収容部２１０及び廃トナー収容部２２０を背面側の斜め上方から視た斜視図である。図４及び図５において上蓋２１２は図示を省略している。また、図６Ａ及び図６Ｂは、それぞれ、トナー収容部２１０及び廃トナー収容部２２０の縦断面図である。
【００１９】
画像形成装置１００は、トナーを収容するトナー収容部２１０と、廃トナーを収容する廃トナー収容部２２０とを備えている。トナー収容部２１０及び廃トナー収容部２２０は、樹脂で形成されている。
【００２０】
トナー収容部２１０は、トナー収容部本体２１１（具体的には筐体）と、上蓋２１２と、トナー撹拌部材２１３と、搬送スクリュー部材２１４とを備えている。トナー収容部本体２１１は、トナーを収容する。上蓋２１２は、トナー収容部本体２１１の上部の開口２１１ａを塞ぐ。上蓋２１２は、トナー収容部本体２１１の開口２１１ａに接着剤等の接合部材で固定されている。
【００２１】
トナー撹拌部材２１３は、トナー収容部本体２１１に収容されるトナーを撹拌しつつ搬送スクリュー部材２１４に送り出す。トナー撹拌部材２１３は、第１回転軸２１３ａと、第１撹拌部２１３ｂとを有している。第１撹拌部２１３ｂは、第１回転軸２１３ａに設けられている。トナー撹拌部材２１３は、第１回転軸２１３ａ及び第１撹拌部２１３ｂが回転することによりトナーを撹拌する。第１回転軸２１３ａは、トナー収容部本体２１１に奥行方向Ｙに沿った回転軸線回りに回転自在に支持されている。第１回転軸２１３ａは、トナー収容部本体２１１の奥行方向Ｙにおける両外側に突出している。第１回転軸２１３ａの背面側端部には係合部２１３ｃが設けられている。第１回転軸２１３ａの背面側端部の係合部２１３ｃは、駆動部（図示せず）からの回転駆動力が伝達される。第１回転軸２１３ａの廃トナー収容部２２０側端部には第１回転係合部２１３ｄが設けられている。第１回転軸２１３ａの廃トナー収容部２２０側端部の第１回転係合部２１３ｄは、駆動部からの回転駆動力を廃トナー収容部２２０の第２回転軸２２３ａに伝達する。
【００２２】
搬送スクリュー部材２１４は、トナー撹拌部材２１３から送り出されてくるトナーを現像ユニット２のトナー補給口（図示せず）に連通したトナー供給口２１１ｔに向けて搬送する。そして、搬送スクリュー部材２１４は、トナー収容部本体２１１に収容されるトナーをトナー供給口２１１ｔから現像ユニット２のトナー補給口に補給する。
【００２３】
廃トナー収容部２２０は、廃トナー収容部本体２２１（具体的には筐体）と、上蓋２２２と、廃トナー撹拌部材２２３とを備えている。廃トナー収容部本体２２１は、廃トナーを収容する。上蓋２２２は、廃トナー収容部本体２２１の上部の開口２２１ａを塞ぐ。
【００２４】
廃トナー撹拌部材２２３は、廃トナー収容部本体２２１に収容される廃トナーを撹拌する。廃トナー撹拌部材２２３は、第２回転軸２２３ａと、第２撹拌部２２３ｂとを有している。第２撹拌部２２３ｂは、第２回転軸２２３ａに設けられている。廃トナー撹拌部材２２３は、第２回転軸２２３ａ及び第２撹拌部２２３ｂが回転することにより廃トナーを撹拌する。第２回転軸２２３ａは、廃トナー収容部本体２２１に奥行方向Ｙに沿った回転軸線回りに回転自在に支持されている。第２回転軸２２３ａは、廃トナー収容部本体２２１のトナー収容部２１０側に突出している。第２回転軸２２３ａのトナー収容部２１０側端部には第２回転係合部２２３ｄが設けられている。第２回転軸２２３ａのトナー収容部２１０側端部の第２回転係合部２２３ｄは、トナー収容部本体２１１における第１回転軸２１３ａの第１回転係合部２１３ｄに係合されて第１回転軸２１３ａからの回転駆動力が伝達される。
【００２５】
［トナー収容部と廃トナー収容部との連結構造］
（第１実施形態）
本実施の形態に係る連結構造は、トナー収容部２１０と廃トナー収容部２２０とを連結する連結構造である。トナー収容部２１０には、トナー収容部２１０と廃トナー収容部２２０とが連結された状態で廃トナー収容部２２０における上蓋２２２を覆う覆い部２１５が設けられている。
【００２６】
本実施の形態によれば、トナー収容部２１０と廃トナー収容部２２０とを連結するので、トナー収容部２１０と廃トナー収容部２２０とを一体化させることができる。しかも、トナー収容部２１０に設けられた覆い部２１５は、トナー収容部２１０と廃トナー収容部２２０とが連結された状態で廃トナー収容部２２０における上蓋２２２を覆う。従って、締結部材を用いることなく、廃トナー収容部本体２２１に上蓋２２２を固定することができる。これにより、廃トナー収容部本体２２１に上蓋２２２を固定する際の組み立て作業性を向上させることができる。
【００２７】
本実施の形態において、トナー収容部２１０及び廃トナー収容部２２０は、水平方向（この例では奥行方向Ｙ）に沿って連結されている。こうすることで、トナー収容部２１０及び廃トナー収容部２２０を水平方向に一体化させることができる。これにより、トナー収容部２１０及び廃トナー収容部２２０の上下方向Ｚにおけるスペースを確保することができる。
【００２８】
この例では、廃トナー収容部２２０が正面側Ｙ１に位置し、トナー収容部２１０が背面側Ｙ２に位置している。
【００２９】
本実施の形態において、トナー収容部２１０の上端部の外周縁部には、水平方向における外側に延設された第１延設部２１６を有している。第１延設部２１６の一部が覆い部２１５を構成している。こうすることで、覆い部２１５の強度を向上させることができる。しかも、トナー収容部２１０に設けられた第１延設部２１６を用いるといった簡単な構成で廃トナー収容部２２０に上蓋２２２を確実に固定することができる。
【００３０】
トナー収容部２１０の廃トナー収容部２２０側端部の外周縁部には、廃トナー収容部２２０側に延設された第２延設部２１７を有している。第２延設部２１７の一部が覆い部２１５を構成している。こうすることで、覆い部２１５の強度を向上させることができる。しかも、トナー収容部２１０に設けられた第２延設部２１７を用いるといった簡単な構成で廃トナー収容部２２０に上蓋２２２を確実に固定することができる。
【００３１】
本実施の形態において、上蓋２２２は、廃トナー収容部本体２２１と係合部２３０により保持されている。こうすることで、係合部２３０といった簡単な構成で廃トナー収容部本体２２１に上蓋２２２を確実に固定することができる。
【００３２】
本実施の形態において、上蓋２２２の廃トナー収容部本体２２１との係合部２３０は、上下方向Ｚに着脱される凹凸係合部である。こうすることで、廃トナー収容部本体２２１に対して上側に離脱する上蓋２２２をトナー収容部２１０における覆い部２１５で押さえることができる。
【００３３】
詳しくは、係合部２３０は、第１係合部２３１，２３１及び第２係合部２３２，２３２を備えている。第１係合部２３１，２３１は、廃トナー収容部本体２２１に奥行方向Ｙの両外側に突出した突出部とされている。第２係合部２３２，２３２は、廃トナー収容部本体２２１の下方に延設されると共に第１係合部２３１，２３１の下面と係合するように内側に屈曲している。
【００３４】
（第２実施形態）
本実施の形態において、第１回転軸２１３ａと第２回転軸２２３ａとが同軸上に係合される。こうすることで、トナー撹拌部材２１３及び廃トナー撹拌部材２２３を単一の駆動部により駆動させることができる。これにより、トナー撹拌部材２１３及び廃トナー撹拌部材２２３を駆動するための構成を簡素化することができ、それだけ装置の小型化を実現させることができる。また、トナー収容部２１０と廃トナー収容部２２０との組み立て作業では、第１回転軸２１３ａと第２回転軸２２３ａとを同軸上に合わせた状態でトナー収容部２１０と廃トナー収容部２２０とを連結することができる。これにより、トナー収容部２１０と廃トナー収容部２２０との組み立て作業性の容易化を実現させることができる。
【００３５】
本実施の形態において、第１回転軸２１３ａ及び第２回転軸２２３ａには、互いに係合して第１回転軸２１３ａからの回転駆動を第２回転軸２２３ａに伝達するための第１回転係合部２１３ｄ及び第２回転係合部２２３ｄがそれぞれ設けられている。
【００３６】
本実施の形態では、トナー収容部２１０と廃トナー収容部２２０とを第１回転軸２１３ａ及び第２回転軸２２３ａの回転軸線方向に対して斜めから連結する。
【００３７】
詳しくは、覆い部２１５には、第１連結係合部２１１ｂ，２１１ｂが設けられている。この例では、第１連結係合部２１１ｂ，２１１ｂは、上下方向Ｚに貫通した貫通孔である。廃トナー収容部本体２２１の第１連結係合部２１１ｂ，２１１ｂに対応する位置には、第１連結係合部２１１ｂ，２１１ｂと係合する第２連結係合部２２１ｂ，２２１ｂが設けられている。この例では、第２連結係合部２２１ｂ，２２１ｂは、上方向に突出した突出部である。
【００３８】
図７Ａから図７Ｄは、それぞれ、トナー収容部２１０と廃トナー収容部２２０とを連結させるための第１連結工程から第４連結工程を示す斜視図である。
【００３９】
作業者は、トナー収容部２１０と廃トナー収容部２２０とを連結させるにあたり、先ず、トナー収容部２１０及び廃トナー収容部２２０の少なくとも一方を傾斜させる（図７Ａ参照）。次に、作業者は、第１連結係合部２１１ｂ，２１１ｂと第２連結係合部２２１ｂ，２２１ｂとを係合させる（図７Ｂ参照）。次に、作業者は、第１連結係合部２１１ｂ，２１１ｂ及び第２連結係合部２２１ｂ，２２１ｂを中心にトナー収容部２１０及び廃トナー収容部２２０を回動させて連結させる（図７Ｃ参照）。そして、作業者は、トナー収容部２１０と廃トナー収容部２２０とを締結部材ＳＣ，ＳＣ（具体的にはビス）により固定する（図７Ｄ参照）。これにより、トナー収容部２１０と廃トナー収容部２２０とを強固に連結することができる。
【００４０】
ところで、トナー収容部２１０と廃トナー収容部２２０とを斜めから連結させると、第１回転軸２１３ａの第１回転係合部２１３ｄ及び第２回転軸２２３ａの第２回転係合部２２３ｄが斜めから当接して、トナー収容部２１０と廃トナー収容部２２０とを円滑に連結させることができないことがある。
【００４１】
この点、本実施の形態では、第１回転係合部２１３ｄの角部及び第２回転係合部２２３ｄの角部の少なくとも一方が第１回転軸２１３ａ及び第２回転軸２２３ａの回転軸線方向に対して傾斜している。こうすることで、第１回転係合部２１３ｄ及び第２回転係合部２２３ｄを円滑に係合することができる。これにより、トナー収容部２１０と廃トナー収容部２２０とを円滑に連結させることができる。
【００４２】
図８Ａは、トナー収容部２１０の廃トナー収容部２２０側端部を斜め上方から視た斜視図である。図８Ｂは、図８Ａに示す第１回転係合部２１３ｄ部分を拡大した拡大斜視図である。図８Ｃは、第１回転係合部２１３ｄ部分を示す正面図である。図９Ａは、廃トナー収容部２２０のトナー収容部２１０側端部を斜め上方から視た斜視図である。図９Ｂは、図９Ａに示す第２回転係合部２２３ｄ部分を拡大した拡大斜視図である。また、図９Ｃは、第２回転係合部２２３ｄ部分を示す正面図である。
【００４３】
図８Ａから図８Ｃに示すように、第１回転軸２１３ａにおける第１回転係合部２１３ｄは、十字状の係合凸部とされている。図９Ａから図９Ｃに示すように、第２回転軸２２３ａにおける第２回転係合部２２３ｄは、十字状の係合凹部とされている。なお、第１回転係合部２１３ｄは、十字状の係合凹部とされ、第２回転係合部２２３ｄは、十字状の係合凸部とされていてもよい。
【００４４】
第１回転係合部２１３ｄは、第１回転軸２１３ａ及び第２回転軸２２３ａの回転方向Ｒにおける上流側及び下流側が傾斜していてもよいが、この例では、図８Ａから図８Ｃに示すように、回転方向Ｒにおける上流側が傾斜している。詳しくは、第１回転係合部２１３ｄの回転方向Ｒにおける上流側には、第１回転軸２１３ａの軸線方向における外側に行くに従って低くなるように傾斜した傾斜面２１３ｅ〜２１３ｅが設けられている。第１回転係合部２１３ｄの回転方向Ｒにおける下流側には、第１回転軸２１３ａの回転軸線方向に沿った壁面２１３ｆ〜２１３ｆが設けられている。
【００４５】
第２回転係合部２２３ｄは、回転方向Ｒにおける上流側及び下流側が傾斜していてもよいが、この例では、図９Ａから図９Ｃに示すように、回転方向Ｒにおける下流側が傾斜している。詳しくは、第２回転係合部２２３ｄの回転方向Ｒにおける下流側には、第２回転軸２２３ａの軸線方向における外側に行くに従って低くなるように傾斜した傾斜面２２３ｅ〜２２３ｅが設けられている。第２回転係合部２２３ｄの回転方向Ｒにおける上流側には、第２回転軸２２３ａの回転軸線方向に沿った壁面２２３ｆ〜２２３ｆが設けられている。これにより、トナー収容部２１０と廃トナー収容部２２０とを斜めから連結させて第１回転係合部２１３ｄ及び第２回転係合部２２３ｄが斜めから当接しても、トナー収容部２１０と廃トナー収容部２２０とを円滑に連結させることができる。
【００４６】
そして、第１回転係合部２１３ｄ及び第２回転係合部２２３ｄが係合された状態で第１回転軸２１３ａ及び第２回転軸２２３ａが回転方向Ｒに回転する際には、第１回転係合部２１３ｄの壁面２１３ｆ〜２１３ｆと第２回転係合部２２３ｄの壁面２２３ｆ〜２２３ｆとが当接する。
【００４７】
（第３実施形態）
図１０Ａは、トナー収容部２１０における充填口２１０ｂを塞ぐ充填蓋２１０ｃを示す斜視図である。また、図１０Ｂは、廃トナー収容部本体２２１における抜け防止部２２１ｃを示す斜視図である。
【００４８】
本実施の形態において、トナー収容部２１０には、トナーを充填するための充填口２１０ｂと、充填口２１０ｂを塞ぐ充填蓋２１０ｃとが設けられている。そして、廃トナー収容部本体２２１には、充填蓋２１０ｃの抜けを防止する抜け防止部２２１ｃを設けられている。こうすることで、抜け防止部２２１ｃにより充填蓋２１０ｃの充填口２１０ｂからの抜けを効果的に防止することができる。これにより、トナー収容部２１０からのトナー漏れを有効に回避することができる。
【００４９】
詳しくは、抜け防止部２２１ｃは、廃トナー収容部本体２２１のトナー収容部２１０側端部からトナー収容部２１０側に突出した十字状の突出部とされている。抜け防止部２２１ｃは、充填蓋２１０ｃに対して、非接触であってもよいし、接触していてもよい。
【００５０】
（その他の実施の形態）
本実施の形態では、廃トナー収容部２２０が正面側Ｙ１に位置し、トナー収容部２１０が背面側Ｙ２に位置しているが、トナー収容部２１０が正面側Ｙ１に位置し、廃トナー収容部２２０が背面側Ｙ２に位置するようにしもよい。トナー収容部２１０及び廃トナー収容部２２０は、左右方向Ｘに連結されるようにしてもよい。また、本実施の形態では、トナー収容部２１０と廃トナー収容部２２０とを第１回転軸２１３ａ及び第２回転軸２２３ａの回転軸線方向に対して斜めから連結するようにしたが、トナー収容部２１０に対して廃トナー収容部２２０を下方から連結するようにしてもよい。この場合、第２延設部２１７の下部を開放することができる。
【００５１】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００５２】
１００    画像形成装置
２１０    トナー収容部
２１０ｂ  充填口
２１０ｃ  充填蓋
２１１    トナー収容部本体
２１３    トナー撹拌部材
２１３ａ  第１回転軸
２１３ｂ  第１撹拌部
２１３ｄ  第１回転係合部
２１３ｅ  傾斜面
２１３ｆ  壁面
２１５    覆い部
２１６    第１延設部
２１７    第２延設部
２２０    廃トナー収容部
２２１    廃トナー収容部本体
２２１ａ  開口
２２１ｂ  第２連結係合部
２２１ｃ  抜け防止部
２２２    上蓋
２２３    廃トナー撹拌部材
２２３ａ  第２回転軸
２２３ｂ  第２撹拌部
２２３ｄ  第２回転係合部
２２３ｅ  傾斜面
２２３ｆ  壁面
２３０    係合部
２３１    第１係合部
２３２    第２係合部
Ｒ        回転方向
ＳＣ      締結部材
Ｘ        左右方向
Ｙ        奥行方向
Ｚ        上下方向
【図１】
2019120856.tif 000003
【図２】
2019120856.tif 000004
【図３】
2019120856.tif 000005
【図４】
2019120856.tif 000006
【図５】
2019120856.tif 000007
【図６Ａ】
2019120856.tif 000008
【図６Ｂ】
2019120856.tif 000009
【図７Ａ】
2019120856.tif 000010
【図７Ｂ】
2019120856.tif 000011
【図７Ｃ】
2019120856.tif 000012
【図７Ｄ】
2019120856.tif 000013
【図８Ａ】
2019120856.tif 000014
【図８Ｂ】
2019120856.tif 000015
【図８Ｃ】
2019120856.tif 000016
【図９Ａ】
2019120856.tif 000017
【図９Ｂ】
2019120856.tif 000018
【図９Ｃ】
2019120856.tif 000019
【図１０Ａ】
2019120856.tif 000020
【図１０Ｂ】
2019120856.tif 000021